(57)【特許請求の範囲】
【請求項１】
横架された長尺のシート体を収容可能な上面開口を有する洗浄液槽と、
洗浄液槽の洗浄液中で洗浄液槽の内壁に横設されているとともに多数の通水孔を有する通水プレートと、
洗浄液中の通水プレートの下方位置に配備されていて凹部と凸部が周方向に繰り返し形成された凹凸周壁を有するとともにシート体の搬送方向に沿って回転する凹凸ドラムと、を備えて成り、
洗浄液中を搬送されるシート体が、凹凸ドラムの回転により通水プレートの通水孔から出し入れされる洗浄液によって洗浄されることを特徴とするシート体洗浄ユニット。
【請求項２】
２以上の前記凹凸ドラムが、洗浄液中の通水プレートの下方位置でシート体搬送方向に並べて配備されていることを特徴とする請求項１に記載のシート体洗浄ユニット。
【請求項３】
洗浄液槽内における通水プレートの下方空間をシート体搬送方向に区画する仕切り板部が配備されていることを特徴とする請求項１または請求項２に記載のシート体洗浄ユニット。
【請求項４】
回転駆動する駆動ロールと、駆動ロールの駆動により従動回転する従動ロールと、駆動ロールと従動ロールに架け渡されて搬送されるシート体と、駆動ロールと従動ロールとの間に配置されていてシート体により搬送される被処理物に所定の処理を施す処理ユニットと、を有して成り、
駆動ロールよりもシート体搬送方向下流側に、請求項１から請求項３までのいずれか一項に記載のシート体洗浄ユニットと、シート体洗浄ユニットにおける洗浄液槽の洗浄液中にシート体を押し下げるとともにシート体を当該長尺方向に搬送するように回転する押下ロールと、が配備され、
駆動ロールよりもシート体搬送方向下流側のシート体が、シート体洗浄ユニットの押下ロールにより洗浄液槽の洗浄液中に浸漬されることを特徴とするシート体搬送処理装置。
【請求項５】
２以上の前記押下ロールが、洗浄液槽の洗浄液中にシート体を押し下げる位置でシート体搬送方向に並べて配備されていることを特徴とする請求項４に記載のシート体搬送処理装置。
【請求項６】
被処理物が弁当容器、食品または被冷凍物であり、処理ユニットが、シート体により搬送される弁当容器に弁当具材を盛り付ける盛り付けユニット、シート体により搬送される被処理物を加熱する加熱ユニット、またはシート体により搬送される被処理物を冷凍する冷凍ユニットであり、シート体が駆動ロールと従動ロールとに無端状に架け回されており、シート体洗浄ユニットよりもシート体搬送方向下流側のシート体が、新たな被処理物を搬送して処理ユニットに導入する構成にされていることを特徴とする請求項４または請求項５に記載のシート体搬送処理装置。
【発明の詳細な説明】
【技術分野】
【０００１】
本発明は、例えば工業用ベルトやフィルムなどのシート体を洗浄するシート体洗浄ユニット、およびこのシート体洗浄ユニットを有していてシート体を搬送するシート体搬送処理装置に関する。
【背景技術】
【０００２】
従来、この種のシート体搬送処理装置を図１１に示す。図示のシート体搬送処理装置５０は、駆動回転する駆動ロール３１と、従動回転する従動ロール３２と、駆動ロール３１と従動ロール３２との間に無端状に掛け回されて走行するシート体Ｓとを備えている。そして、駆動ロール３１と従動ロール３２の間の上側のシート搬送経路にはガイドロール３３，３４が配備され、下側のシート搬送経路にはガイドロール３５，３６が配備されている。また、上側のシート搬送経路には、被処理物Ｂ（例えば弁当容器）に弁当具材の盛り付けを行なう盛り付けユニット３７と、盛り付けされた被処理物Ｂに蓋を被せる施蓋ユニット３８が配備されている。尚、ガイドロール３３，３４の代わりに、上面にシート体Ｓを載せて摺動させるスライダーベッド４９（２点鎖線で図示）が、シート体Ｓの下方に配備されることもある。
このシート体搬送処理装置５０では、駆動ロール７の回転駆動により走行するシート体Ｓ上に、入側ガイド３９からの被処理物Ｂが投入されて搬送され（矢印Ｆ方向）、盛り付けユニット３７で弁当具材の盛り付けが行なわれる。盛り付けされた被処理物Ｂは、後続の施蓋ユニット３８で蓋が被せられて被処理物Ｂ１となったのち、出側ガイド４０を経て装置外に排出される。被処理物Ｂ１が搬出されたシート体Ｓは、駆動ロール３１、ガイドロール５，３６および従動ロール３２を経て入側ガイド３９の近傍位置へ戻るようになっている。このようなシート体搬送処理装置５０は例えば下記の特許文献１に記載されている。
【０００３】
しかしながら、前記した従来のシート体搬送処理装置５０では、シート体Ｓを洗浄する手段を備えていず、被処理物Ｂに盛り付けられる弁当具材は食品であるので、食材や調味液の一部がシート体Ｓに付着したまま駆動ロール３１と従動ロール３２の間を周回することが考えられる。そのため、シート体Ｓに付着した食品が腐敗して不衛生になったり、悪臭を放ったり、あるいは食材などの一部がシート体Ｓにこびついたりするおそれがある。それらに対処するため、シート体搬送処理装置５０を頻繁に停止させて、熱水噴射やブラシがけなどによりシート体Ｓの洗浄作業を行なわなければならず、極めて処理効率が悪かった。
【０００４】
そこで、図１２に示すようなシート体搬送処理装置が特許文献２に開示されている。文献２開示のシート体搬送処理装置５１は、シート体洗浄ユニット６１とシート体Ｓ２を除いて、図１１のシート体搬送処理装置５０と同様の構成を有している。すなわち、シート体洗浄ユニット６１は駆動ロール３１とガイドロール３５の間に配備されており、洗浄液槽４５内でほぼ水平同軸心の凹凸ドラム６４と、凹凸ドラム６４の外方に配置された通水ドラム６３とが回動自在に装備されているものである。シート体洗浄ユニット６１の入側にはダンサーロール４７が配備され、出側にはモータＭ駆動の搬出ロール４６が配備されている。そして、シート体Ｓ２は、シート体洗浄ユニット６１の通水ドラム６３の外周面に巻き回されるため、シート体継ぎ足しなどによって図１１のシート体Ｓよりも長くされている。このシート体搬送処理装置５１によれば、シート体洗浄ユニット６１の作用によりシート体Ｓ２が洗浄されるので、被処理物Ｂの搬送を衛生的に行なえるという利点がある。
【先行技術文献】
【特許文献】
【０００５】
【特許文献１】特開平７−２７４９２２号公報
【特許文献２】特開２０１３−１７４３６６号公報
【発明の概要】
【発明が解決しようとする課題】
【０００６】
ところが、前記した文献２に記載のシート体搬送処理装置５１では、ベルトの継ぎ足しやベルトの交換などを行なった長いシート体Ｓ２を用いなければならず、部品改修や部品交換の作業および部品コストを必要としていた。また、ダンサーロール４７や搬出ロール４６を設置するなど、装置の大きな改造につながっていた。そして、シート体洗浄ユニット６１の点検整備時などの際には、シート体Ｓ２を通水ドラム６３の外周面から取り外すための分解作業が難しいことから、当該作業に多大な手間がかかっていたのである。
【０００７】
本発明は、上記した従来の問題点に鑑みてなされたものであって、シート体の長さは現状のままで済み、既設装置の大きな改造を必要とすることなく既設装置に付設することのできるシート体洗浄ユニットおよびシート体搬送処理装置の提供を目的とする。
【課題を解決するための手段】
【０００８】
上記目的を達成するために、本発明に係るシート体洗浄ユニットは、横架された長尺のシート体を収容可能な上面開口を有する洗浄液槽と、洗浄液槽の洗浄液中で洗浄液槽の内壁に横設されているとともに多数の通水孔を有する通水プレートと、洗浄液中の通水プレートの下方位置に配備されていて凹部と凸部が周方向に繰り返し形成された凹凸周壁を有するとともにシート体の搬送方向に沿って回転する凹凸ドラムと、を備えて成り、洗浄液中を搬送されるシート体が、凹凸ドラムの回転により通水プレートの通水孔から出し入れされる洗浄液によって洗浄される構成にしてある。
【０００９】
また、前記構成において、２以上の凹凸ドラムが、洗浄液中の通水プレートの下方位置でシート体搬送方向に並べて配備されていることを特徴とするものである。
【００１０】
また、前記した各構成において、洗浄液槽内における通水プレートの下方空間をシート体搬送方向に区画する仕切り板部が配備されていることを特徴とするものである。
【００１１】
そして、本発明に係るシート体搬送処理装置は、回転駆動する駆動ロールと、駆動ロールの駆動により従動回転する従動ロールと、駆動ロールと従動ロールに架け渡されて搬送されるシート体と、駆動ロールと従動ロールとの間に配置されていてシート体により搬送される被処理物に所定の処理を施す処理ユニットと、を有して成り、駆動ロールよりもシート体搬送方向下流側に、請求項１または請求項２に記載のシート体洗浄ユニットと、シート体洗浄ユニットにおける洗浄液槽の洗浄液中にシート体を押し下げるとともにシート体を当該長尺方向に搬送するように回転する押下ロールと、が配備され、駆動ロールよりもシート体搬送方向下流側のシート体がシート体洗浄ユニットの押下ロールにより洗浄液槽の洗浄液中に浸漬されていることを特徴とするものである。
【００１２】
また、前記構成のシート体搬送処理装置において、２以上の押下ロールが、洗浄液槽の洗浄液中にシート体を押し下げる位置でシート体搬送方向に並べて配備されていることを特徴とするものである。
【００１３】
更に、前記構成のシート体搬送処理装において、被処理物が弁当容器、食品または被冷凍物であり、処理ユニットが、シート体により搬送される弁当容器に弁当具材を盛り付ける盛り付けユニット、シート体により搬送される被処理物を加熱する加熱ユニット、またはシート体により搬送される被処理物を冷凍する冷凍ユニットであり、シート体が駆動ロールと従動ロールとに無端状に架け回されており、シート体洗浄ユニットよりもシート体搬送方向下流側のシート体が、新たな被処理物を搬送して処理ユニットに導入する構成にされていることを特徴とするものである。
【発明の効果】
【００１４】
本発明に係るシート体洗浄ユニットによれば、洗浄液槽と、通水プレートと、凹凸ドラムと、を備えて成り、洗浄液槽の洗浄液中を搬送されるシート体が、凹凸ドラムの回転により通水プレートの通水孔から出し入れされる洗浄液によって洗浄されるように構成されているので、例えば既設装置のシート体を、現状のシート搬送経路から押し下げるだけで、通水プレートの直上位置に到達させることができる。これにより、通水プレートと凹凸ドラムの作用により、通水プレート直上のシート体に洗浄液をしっかりと当てて洗浄できる。
【００１５】
また、２以上の凹凸ドラムが洗浄液中の通水プレートの下方位置でシート体搬送方向に並べて配備されているものでは、２基分の凹凸ドラムの上方位置を広い範囲にわたり長時間かけてシート体が凹凸ドラムに近接して洗浄されるので、高い洗浄効率を得ることができる。
【００１６】
また、洗浄液槽内における通水プレートの下方空間をシート体搬送方向に区画する仕切り板部が配備されているものでは、凹凸ドラムの前後の空間が仕切り板部で区画されるので、凹凸ドラムの凹凸周壁により動かされる洗浄液を、凹凸ドラムの上方位置にある通水プレートの通水孔から効率よく出し入れできる。これにより、凹凸ドラムおよび通水プレートによる洗浄効果を高めることができる。
【００１７】
そして、本発明に係るシート体搬送処理装置によれば、駆動ロールと、従動回転する従動ロールと、シート体と、処理ユニットと、を有して成り、駆動ロールよりもシート体搬送方向下流側に、シート体洗浄ユニットと押下ロールとが配備されるので、駆動ロールよりもシート体搬送方向下流側のシート体が押下ロールにより洗浄液槽の洗浄液中に浸漬される。従って、シート体を、通水プレートに極力近づけ得るから、高い洗浄効率でシート体を洗浄できる。この場合、押下ロールは、シート体搬送処理装置に大きな改造をもたらすことなくシート体搬送処理装置のシート搬送経路に簡便かつ安価に取り付けることができ、然も現状に張られたシート体を可能な範囲内で押し下げて使用するので、シート体の継ぎ足しや取り替えなども必要としない。
【００１８】
また、２以上の押下ロールが、洗浄液槽の洗浄液中にシート体を押し下げる位置でシート体搬送方向に並べて配備されているものでは、シート体が通水プレートの直上位置で広い範囲にわたり長時間近接するので、高い洗浄効率を得ることができる。
【００１９】
更に、被処理物が弁当容器、食品または被冷凍物であり、処理ユニットが盛り付けユニット、加熱ユニットまたは冷凍ユニットであり、シート体が駆動ロールと従動ロールとに無端状に架け回されており、シート体洗浄ユニットよりもシート体搬送方向下流側のシート体が、新たな被処理物を搬送して盛り付けユニットに導くものでは、シート体洗浄ユニットにより洗浄されたシート体上に新たな被処理物が載せられて処理ユニットに搬送されるので、例えば食品などを取り扱ううえで、極めて衛生的で好適である。
【図面の簡単な説明】
【００２０】
【図１】本発明の一実施形態に係るシート体洗浄ユニットを示す外観図である。
【図２】前記シート体洗浄ユニットの一部断面を含む側面図である。
【図３】前記シート体洗浄ユニットの一部断面を含む平面図である。
【図４】前記シート体洗浄ユニットの一部断面を含む正面図である。
【図５】前記シート体洗浄ユニットの内部を側面から見た概略構成図である。
【図６】前記シート体洗浄ユニットの動作を示す要部拡大側断面図である。
【図７】本発明の実施形態に係るシート体搬送処理装置を示す概略側面構成図である。
【図８】本発明の別の実施形態に係るシート体搬送処理装置を示す図であって、（ａ）は２つの押下ロールを用いたシート体搬送処理装置の一部を側面から視た概略構成図、（ｂ）は押下ロールを用いないシート体搬送処理装置の一部を側面から視た概略構成図である。
【図９】本発明の他の実施形態に係るシート体搬送処理装置の一部を側面から視た概略構成図である。
【図１０】本発明に係るシート体洗浄ユニットの凹凸ドラムの別例を示す図であって、（ａ）は側面視６角形の凹凸ドラムを示す概略側面図、（ｂ）は側面視８角形の凹凸ドラムを示す概略側面図である。
【図１１】従来のシート体搬送処理装置の一例を示す概略側面構成図である。
【図１２】従来のシート体搬送処理装置の他例を示す概略側面構成図である。
【発明を実施するための形態】
【００２１】
本発明の実施形態を図面に基づいて説明する。尚、以下に述べる実施形態は本発明を具体化した一例に過ぎず、本発明の技術的範囲を限定するものでない。図１は本発明の一実施形態に係るシート体洗浄ユニットを示す外観図、図２は前記シート体洗浄ユニットの一部断面を含む側面図、図３は前記シート体洗浄ユニットの一部断面を含む平面図、図４は前記シート体洗浄ユニットの一部断面を含む正面図、図５は前記シート体洗浄ユニットの内部を側面から見た概略構成図である。但し、図１１，１２に示した従来のシート体搬送処理装置５０，５１と同一の構成要素には、同一の符号を付すとともにその詳細な説明を省略することがある。
各図において、この実施形態に係るシート体洗浄ユニット１は、長尺のシート体Ｓを収容可能な上面開口２Ａを有する洗浄液槽２と、洗浄液Ｗ中に浸漬されたシート体Ｓの直下位置に配置されるとともに多数の通水孔７，７，７，・・・を有する通水プレート３と、洗浄液Ｗ中の通水プレート３の直下位置に配備されていてシート体Ｓの搬送方向（矢印Ｆ１方向）に沿って回転する凹凸ドラム４と、を備えて構成されている。
【００２２】
上記のシート体Ｓは例えばプラスチック製のブロック片を多数組み合わせて形成されたコンベヤベルトである。このシート体Ｓは、後で詳述するシート体搬送処理装置３０の梁材４１（図２参照）に回動自在に軸支されたガイドロール３５，３６間に横架されて搬送されるようになっており、幅は１００〜２０００ｍｍ程度である。また、上記の洗浄液Ｗは例えば水か湯である。但し、洗剤などを含ませても構わない。
【００２３】
上記の洗浄液槽２は例えばステンレス製であり、洗浄液Ｗの大部分を貯留していて上面開口２Ａを有する槽本体部分と、この槽本体部分の前後の開口縁に固設されていて前後方向斜め上に延びる受板部２Ｂ，２Ｂと、から構成されている。そして、洗浄液槽２は、例えば４つの支柱１４，１４，１４，１４を介して載置台１０の上面に固定されて支持されている。載置台１０は、昇降機構１１を介して高さ位置可変に１２上に設置されている。載置台１０は、昇降機構１１のハンドル１３が回されることにより高さ調整がなされる。
【００２４】
上記の通水プレート３は例えばステンレス製であり、上下に貫通した多数の通水孔７，７，７，・・・（それぞれ例えば内径５ｍｍφ）を有する透水自在の平板体として形成されている。この通水プレート３は、洗浄液槽２の洗浄液Ｗ中で水平横向きに配置されて洗浄液槽２の前後の内壁２Ｄ，２Ｄに固設されている。
上記の凹凸ドラム４は、洗浄液Ｗが満たされた洗浄液槽２内で水平軸心回りに例えば１０００ｒｐｍで回転駆動されるようになっており、凹部４Ａと凸部４Ｂが周方向に繰り返し形成された側面視花びら状の凹凸周壁４Ｃ（図６参照）を有している。凹凸ドラム４の外径は例えば８０ｍｍ程度であり、凹凸ドラム４の左右方向の幅は、シート幅よりも広い例えば４００〜５００ｍｍ程度である。
【００２５】
洗浄液槽２内において、凹凸ドラム４の前後の側方、すなわちシート体搬送方向の上流側位置および下流側位置には、１対の仕切り板部６，６が配置されている。これらの仕切り板部６，６は通水プレート３の下方空間２Ｃをシート体搬送方向に３つの空間（２Ｃ（１）、２Ｃ（２）、２Ｃ（３））に区画するものであり、通水プレート３の下面３Ａに例えばボルト取付けなどにより固定されて吊持されている。これらの仕切り板部６，６は、洗浄液槽２の左右両側の内側壁にも水封状に固着されているが、それぞれの下端部下方の空間は連通している。これにより、仕切り板部６，６間の下方空間２Ｃ（２）から通水プレート３の通水孔７，７，７，・・・を通って上方に出た洗浄液Ｗは仕切り板部６，６よりも前後位置に在る通水孔７，７，７，・・・から洗浄液槽２内の下方空間２Ｃ（１），２Ｃ（３）に入り底面あたりを経由して凹凸ドラム４の近傍に戻るのである（図５参照）。
【００２６】
そして、洗浄液槽２の左右両側の側壁には、それぞれ軸穴（符号付け省略）が形成されている。これらの軸穴には、凹凸ドラム４の左右側端面に突設された回転軸４Ｄ，４Ｄが挿通されている。これらの回転軸４Ｄ，４Ｄの途中部分には、各軸穴を液封するシール部２１がそれぞれ取り付けられている。これらシール部２１の外側には、それぞれブラケットを介して軸受部１６が取り付けられている。各軸受部１６は、凹凸ドラム４の回転軸４Ｄ，４Ｄを回動自在に軸支する。そして、一方の回転軸４Ｄの先端部には、プーリ２３が取り付けられている。このプーリ２３は、モータ８の回転駆動軸８Ａの先端部に取り付けられたプーリ２２とベルト９を介して連結されている。洗浄液槽２の側壁には、洗浄液Ｗを洗浄に適した温度に加熱する電気ヒータ２０が取り付けられている。
【００２７】
上記の押下ロール５は例えば外径が６０ｍｍφ程度であり、シート体搬送処理装置３０におけるガイドロール３５，３６間の梁材４１に配備されている。具体的に、押下ロール５は梁材４１に固設された支持枠２４に取り付けられた回転軸５Ａに回動自在に軸支されている。すなわち、押下ロール５の押下量は梁材４１に対する支持枠２４の上下位置を調整して行なれる。この押下ロール５は、シート体Ｓをその長尺方向（矢印Ｎ方向）に搬送するように回転するとともにシート体Ｓを洗浄液槽２の洗浄液Ｗ中に押し下げて浸漬させるようになっている。一方、制御盤１５は、モータ８による凹凸ドラム４の回転数や回転方向、または押下ロール５の押下量などの目標値を設定するものである。因みに、押下ロール５の外周面に添えられたシート体Ｓと通水プレート３の上面との隙間は、例えば５ｍｍ程度である。
【００２８】
上記のように構成されたシート体洗浄ユニット１において、通水プレート３と凹凸ドラム４の作用を図６に示す。図６において、凹凸ドラム４の凹凸周壁４Ｃの凸部４Ｂが接近しつつある部分で洗浄液Ｗが通水プレート３の通水孔７から上方へ吐出され、凹部４Ａが接近しつつある部分では通水孔７から通水プレート３の下方へ吸入される。すなわち、凹凸ドラム４の高速回転に伴って、洗浄液Ｗは前記のような吐出と吸入とが極めて短い周期で反復されながら流動する。そこで、押下ロール５の外周面に接して随走しているシート体Ｓは、静止している通水プレート３に対し１０００ｒｐｍ程度で回転する凹凸ロール４により、静止状態の通水プレート３の通水孔７，７，７，・・・から出し入れされる洗浄液Ｗの振動流によって強く振動し、且つ、シート体Ｓ自体の隙間を洗浄液Ｗが高速で出し入れされる。従って、押下ロール５に随伴している部分およびその前後の近隣部分が効果的に洗浄される。これにより、シート体Ｓに付着していた汚染物が効果的にふるい落とされて清浄なシート体Ｓとなるのである。そして、シート体Ｓの洗浄により汚染物を含んだ洗浄液Ｗは、適時、排液口１７のコック１８が開放されて洗浄液槽２の底部から機外に適宜排出され、コック２５が開かれた給液口１９からの新たな洗浄液Ｗと入れ替えられて清浄にされる。
【００２９】
上記したように、この実施形態のシート体洗浄ユニット１によれば、押下ロール５により、例えば既設装置のシート体Ｓを現状のシート搬送経路（図７中の２点鎖線のＳで示す）から押し下げるだけで、通水プレート３の直上位置に到達させることができる。これにより、通水プレート３と凹凸ドラム４の作用により、通水プレート３の直上位置のシート体Ｓに洗浄液Ｗをしっかりと当てて洗浄することができる。
【００３０】
また、凹凸ドラム４の前後の空間が仕切り板部６，６で区画されているので、凹凸ドラム４の凹凸周壁４Ｃにより動かされる洗浄液Ｗを、凹凸ドラム４の上方位置にある通水プレート３の通水孔７から効率よく出し入れできる。これにより、凹凸ドラム４および通水プレート３による洗浄効果を高めることができる。
そして、このシート体洗浄ユニット１は、高速液流および振動作用による高性能の洗浄力を有しているにも拘わらず比較的小型に構成されているため、安価に提供される。
【００３１】
そうして、前記のシート体洗浄ユニット１を適用したシート体搬送処理装置３０を図７に示す。図示のシート体搬送処理装置３０は、モータＭの駆動により水平軸心回りに回転駆動する駆動ロール３１と、水平軸心回りに従動回転する従動ロール３２と、駆動ロール３１と従動ロール３２に無端状に掛け回されて走行するシート体Ｓと、駆動ロール３１と従動ロール３２との間に配置されていてシート体Ｓにより搬送される被処理物Ｂ，Ｂ，Ｂ，・・・（例えば弁当容器）に弁当具材の盛り付け処理を施す盛り付けユニット３７と、盛り付けられた被処理物Ｂ（弁当容器）に蓋を被せて被処理物Ｂ１（例えば商品としての弁当）にする施蓋ユニット３８と、駆動ロール３１よりもシート体搬送方向（矢印Ｆ１方向）の下流側に配備されてシート体Ｓを洗浄するシート体洗浄ユニット１と、シート体洗浄ユニット１の洗浄液槽２内へシート体Ｓを押し下げる押下ロール５と、を備えて構成されている。
【００３２】
そして、このシート体搬送処理装置３０は、従動ロール３２の側方に、新たな被処理物Ｂをシート体Ｓ上に投入するための入側ガイド３９が配置されている。また、駆動ロール３１の側方には、盛り付けユニット３７で被処理物Ｂに弁当具材が盛り付けられて施蓋ユニット３８で蓋をされて得られた被処理物Ｂ１を、シート体Ｓ上から排出するための出側ガイド４０が配置されている。すなわち、シート体Ｓの上面に載せられて搬送される新たな被処理物Ｂ，Ｂ，Ｂ，・・・に弁当具材の盛り付け処理を施す盛り付けユニット３７が、本発明に関連する処理ユニット４３の一例である。また、駆動ロール３１と従動ロール３２の間における、上側のシート搬送経路には例えばガイドロール３３，３４が配備され、下側のシート搬送経路にはガイドロール３５，３６が配備されている。そして、前記の押下ロール５は、ガイドロール３５，３６間に配備されている。尚、上側のガイドロール３３，３４の代わりに、上面にシート体Ｓを載せて摺動自在に支持するスライダベッド４９（２点鎖線で図示）を配備しても構わない。
【００３３】
そして、制御装置４２は、例えばＣＰＵ、メモリ、データバス、入出力ポートなどからなるマイクロコンピュータを備えている。この制御装置４２は、駆動ロール３１のモータＭ、凹凸ドラム４のモータ８、盛り付けユニット３７の駆動源や施蓋ユニット３８の駆動源などを駆動制御するようになっている。
【００３４】
上記のように構成されたシート体搬送処理装置３０の作用を次に説明する。
このシート体搬送処理装置３０は制御装置４２から発せられた指令信号により駆動される。その際、制御装置４２はシート体Ｓの搬送速度が目標搬送速度となるように駆動ロール３１のモータＭを駆動して駆動ロール３１の回転速度を制御する。この目標搬送速度は、被処理物Ｂが盛り付けユニット３７を通過する間に被処理物Ｂに弁当具材を盛り付けできるような速度に設定されている。そこで、シート体Ｓが矢印Ｆ方向に走行し、被処理物Ｂ，Ｂ，Ｂ，・・・が入側ガイド１１から順次シート体Ｓ上に導入される。そして、シート体Ｓおよび被処理物Ｂは盛り付けユニット３７に導かれ、盛り付けユニット３７で弁当具材の盛り付け処理がなされる。そして、後続の施蓋ユニット３８により被処理物Ｂに蓋が被せられ、その旨が制御装置４２に送信される。そして、盛り付けユニット３７と施蓋ユニット３８を通過した被処理物Ｂ１は出側ガイド４０を経て装置外へ搬出される。一方、被処理物Ｂ１を搬出し終えたシート体Ｓは、駆動ロール３１およびガイドロール３５を経たのちに押下ロール５により、シート体洗浄ユニット１における通水プレート３の直上位置に導かれる。
【００３５】
このとき、制御装置４２はモータ８を駆動制御しており、凹凸ドラム４を矢印Ｒ１方向に高速回転させている。これらにより、シート体Ｓは駆動ロール３１からガイドロール３５を経て、洗浄液Ｗ中で矢印Ｒ２方向に回転する押下ロール５の外周面に供給される。そして、押下ロール５の入側近傍、押下ロール５の外周面および押下ロール５の出側近傍に在るシート体Ｓは、図６で示したような通水プレート３と凹凸ドラム４の作用により、通水孔７，７，７，・・・から高速で出し入れされた洗浄液Ｗによって効率よく洗浄される。その後、清浄になったシート体Ｓは、ガイドロール３６から従動ロール３２を通過し入側ガイド３９からの新たな被処理物Ｂを載置して搬送し、盛り付けユニット３７で盛り付け処理を受けるのである。
【００３６】
上記したように、この実施形態のシート体搬送処理装置３０によれば、ガイドロール３５の下流側のシート体Ｓが押下ロール５により洗浄液槽２の洗浄液Ｗ中に浸漬される。従って、シート体Ｓを、通水プレート３に極力近づけることができるから、高い洗浄効率でシート体Ｓを洗浄することができる。従って、押下ロール５は、シート体搬送処理装置３０に大きな改造をもたらすことなくシート体搬送処理装置３０のシート搬送経路に簡便かつ安価に取り付けることができ、然も現状に張られたシート体Ｓを可能な範囲内で押し下げて使用するので、シート体Ｓの継ぎ足しや取り替えなども必要としない。
【００３７】
また、処理ユニット４３が盛り付けユニット３７であるので、シート体洗浄ユニット１により洗浄されたシート体Ｓの上面に新たな被処理物Ｂが載せられて盛り付けユニット３７に搬送される。従って、食品を扱ううえで衛生的であり極めて好適となる。因みに、シート体洗浄ユニット１を用いないとすると、食品の一部がシート体Ｓに付着したままで駆動ロール３１と従動ロール３２の間を周回することがあるため、付着した食品が腐敗して不衛生になったり悪臭を放ったりするおそれがある。しかしながら、このシート体搬送処理装置３０は、シート体洗浄ユニット１を用いているので、そのような懸念も払拭される。
【００３８】
また、上記では、１つの押下ロール５を用いた例を示したが、図８（ａ）に示すように、シート体洗浄ユニット１の洗浄液槽２の上面開口２Ａ内に、２つの押下ロール５，５をシート体搬送方向（矢印Ｆ１方向）に並べて離間配置して成るシート体搬送処理装置３０ａも、本発明に含まれる。２つの押下ロール５，５も、既述の梁材４１に取り付けられる。このシート体搬送処理装置３０ａであれば、シート体Ｓが通水プレート３の直上位置で広い範囲にわたり然も比較的長い時間で近接するので、洗浄効率が高くなる。これらの押下ロール５は３つ以上を並べて用いても構わない。
【００３９】
他方、図８（ｂ）に示すように、押下ロールを省略して成るシート体搬送処理装置３０ｂも本発明に含まれる。このシート体搬送処理装置３０ｂでは、既述したシート体搬送処理装置３０と同様に、プラスチック製ブロック体を多数組み合わせて成るコンベヤベルトが、シート体Ｓとして使用される。このコンベヤベルト製のシート体Ｓは重いので、駆動ロール３１と従動ロール３２の間で垂れ下がってしまう。そこで、シート体Ｓの垂れ下がり性を利用し、シート体Ｓの最垂下位置に合わせて、シート体洗浄ユニット１の洗浄液槽２の上面開口２Ａを配置したのである。このシート体搬送処理装置３０ｂにおいても、シート体Ｓの洗浄を行なうことができ、然もシート体搬送処理装置３０ｂの設備改造は必要でないから、極めて安価かつ簡便にシート体洗浄ユニット１を導入することができる。
【００４０】
また、上記では、１つの凹凸ドラム４を用いた例を示したが、図９に示すように、前後に長い洗浄液槽２ａ内で通水プレート３の下方位置に、２つの凹凸ドラム４，４がシート体搬送方向（矢印Ｆ１方向）に並べて離間配置されて成るシート体洗浄ユニット１ａを備えたシート体搬送処理装置３０ｃも、本発明に含まれる。これら２つの凹凸ドラム４，４は、それぞれ、既述したシート体洗浄ユニット１の凹凸ドラム４と同様に、軸受部１６およびシール部２１を介して洗浄液槽２ａの左右側壁に回動自在に軸支されている。２つの凹凸ドラム４，４間には、仕切り板部６が配備され通水プレート３の下面３Ａに固設されている。洗浄液槽２ａの側壁には、洗浄液Ｗの液温を検出する温度センサ４８が取り付けられている。このシート体搬送処理装置３０ｃも、シート体Ｓが２基分の凹凸ドラム４，４の上方位置で広い範囲にわたり然も比較的長い時間に、シート体Ｓが凹凸ドラム４，４に近接して洗浄されるので、シート体搬送処理装置３０，３０ａと比べると、洗浄効率が更に高くなる。これらの凹凸ドラム４は３つ以上を並べて用いても構わない。
【００４１】
尚、上記した各実施形態では、側面視で多数の花びら状部が形成された凹凸ドラム４を用いたが、これに替えて、例えば図１０（ａ）に示すように角状の凸部４Ｂａと凹部４Ａａとから成る凹凸周壁４Ｃａを有する側面視６角形状に形成された凹凸ドラム４ａや、例えば図１０（ｂ）に示すように同じく角状の凸部４Ｂｂと凹部４Ａｂとから成る凹凸周壁４Ｃｂを有する側面視８角形状に形成された凹凸ドラム４ｂを用いることも可能である。尚、前記のような側面視多角形状の凹凸ドラムは、例示した６角形状や８角形状のものに限られるものでない。例えば、側面視４角形から１０角形程度までの凹凸ドラムを用いると好適である。このような多角形状の凹凸ドラムは製造が簡単であるし、角部分で発生する液流が強いという特徴を有する。
【００４２】
また、上記では、シート体洗浄ユニット１においてシート体Ｓの搬送方向（矢印Ｆ１方向）とは反対の方向（矢印Ｒ１方向）に凹凸ドラム４を回転させた例を示したが、本発明は、シート体の搬送方向と同方向に凹凸ドラムを回転させるシート体搬送ユニットも含んでいることは言うまでもない。
【００４３】
また、上記では、１台のシート体洗浄ユニット１，１ａを有するシート搬送処理装置３０，３０ａ，３０ｂ，３０ｃの例を示したが、例えばシート体洗浄ユニット１または１ａを複数台用意し、これらをシート搬送処理装置のシート体搬送経路に直列に並べて用いることも可能である。このような使用態様により、洗浄能力を自在に拡大することが可能になる。
【００４４】
そして、上記では、処理ユニットとして盛り付けユニット３７を適用した例を挙げたが、本発明のシート体搬送処理装置は、搬送されるシート体を扱う装置であれば、前記の盛り付けユニット３７以外の処理ユニットを有するシート体搬送処理装置にも適用可能である。例えば、処理ユニットが、シート体上の魚（被処理物：食品）を焼くオーブン式の加熱ユニットであるとともに、シート体が、魚を搬送したのちにシート体洗浄ユニットにより洗われる金属製ネットコンベヤであるような場合や、あるいは、処理ユニットが、シート体上の被冷凍食材（被処理物：食品）を冷凍する冷凍ユニットであるとともに、シート体が、被冷凍食材を搬送したのちに体洗浄ユニットにより洗われる金属製ネットコンベヤであるような場合である。
【００４５】
また、上記では、シート体として、プラスチック製のブロック片を組み合わせて形成されたコンベヤベルトや金属製ネットコンベヤを搬送して取り扱う装置を例示したが、本発明に用いられるシート体はこれらに限られるものでない。例えば、ナイロンメッシュ製のコンベヤベルト、合成樹脂製のフィルムや樹脂コーティングシート、ネット状に形成されたシート体、あるいはポリウレタン、ポリ塩化ビニル、ポリオレフィン、シリコン樹脂、フッ素コーティング樹脂または織布などから成るコンベヤベルトなども、本発明のシート体に含まれる。
【００４６】
尚、本発明は、上記した実施の形態に限定されるものではない。すなわち、本発明の分野における通常の知識を有する者であれば想到し得る、各種変形、修正を含む、本発明の要旨を逸脱しない範囲の設計変更があっても、それらが本発明に含まれることは勿論である。
【符号の説明】
【００４７】
１，１ａ  シート体洗浄ユニット
２，２ａ  洗浄液槽
２Ａ  上面開口
２Ｂ  受板部
２Ｃ  下方空間
２Ｄ  内壁
３  通水プレート
３Ａ  下面
４，４ａ，４ｂ  凹凸ドラム
４Ａ，４Ａａ，４Ａｂ  凹部
４Ｂ，４Ｂａ，４Ｂｂ  凸部
４Ｃ，４Ｃａ，４Ｃｂ  凹凸周壁
４Ｄ  回転軸
５  押下ロール
５Ａ  回転軸
６  仕切り板部
７  通水孔
８  モータ
１５  制御盤
１６  軸受部
２４  支持枠
３０，３０ａ，３０ｂ，３０ｃ  シート体搬送処理装置
３１  駆動ロール
３２  従動ロール
３７  盛り付けユニット
４１  梁材
４２  制御装置
４３  処理ユニット
Ｂ，Ｂ１  被処理物
Ｆ，Ｆ１，Ｎ  矢印
Ｒ１，Ｒ２  矢印
Ｓ  シート体
Ｗ  洗浄液
【図１】
0006377651.tif 000002
【図２】
0006377651.tif 000003
【図３】
0006377651.tif 000004
【図４】
0006377651.tif 000005
【図５】
0006377651.tif 000006
【図６】
0006377651.tif 000007
【図７】
0006377651.tif 000008
【図８】
0006377651.tif 000009
【図９】
0006377651.tif 000010
【図１０】
0006377651.tif 000011
【図１１】
0006377651.tif 000012
【図１２】
0006377651.tif 000013